(57)【要約】      （修正有）【課題】充電誘導コイルを有する無線マウスや携帯電話に電力を供給できるだけでなく、必要に応じて、電源を必要とする周辺設備を実装できる多機能無線電力誘導式マウスソフトパッドを提供する。【解決手段】下ソフトパッド１０、発泡パッド２０及び上ソフトパッド４０からなり、可撓性を有し、巻き締めることができ、発泡パッド上に電源モジュール３０が埋め込まれ、電源モジュールに電力誘導コイル３１とＵＳＢスロット３２を設ける。【選択図】図１
0003187284.tif 000002
【実用新案登録請求の範囲】
【請求項１】
マウスソフトパッドの底部の基材となる下ソフトパッドと、
上記下ソフトパッドの上に設けられ、第１の収納槽が設けられる発泡パッドと、
上記発泡パッドの第１の収納槽内に埋め込まれ、体積が上記第１の収納槽とほぼ同じ電力誘導コイルとUSBスロットとがあり、上記USBスロットと上記電力誘導コイルとが電気的に接続され、上記USBスロットが発泡パッドの外周側に位置する電源モジュールと、
上記発泡パッドの上に設けられ、マウスソフトパッド上部の上面材となる上ソフトパッドと、が含有される、ことを特徴とする多機能無線電力誘導式マウスソフトパッド。
【請求項２】
上記発泡パッドに、更に、第２の収納槽が形成される上記上ソフトパッドにおいて、上記第２の収納槽に対応する位置に開口が形成され、表示モジュールが上記電源モジュールに電気的に接続されて、上記発泡パッドの第２の収納槽内に埋め込まれ、上記表示モジュールの上方に、上記上ソフトパッドの開口から露出する表示スクリーンが設けられることを特徴とする請求項１に記載の多機能無線電力誘導式マウスソフトパッド。
【請求項３】
上記表示モジュールにケーシングがあり、上記ケーシングに上記発泡パッドの第２の収納槽内に埋め込まれる基部がある上記表示モジュールにおいて、上記基部の上方に突出部が形成され、上記突出部が上記発泡パッドの第２の収納槽外へ突出し、上記突出部の一側に斜めにウィンドウが設けられ、上記表示スクリーンが上記ウィンドウの上に位置することを特徴とする請求項２に記載の多機能無線電力誘導式マウスソフトパッド。
【請求項４】
上記発泡パッドに、更に、第３の収納槽が形成される上記上ソフトパッドにおいて、上記第３の収納槽に対応する位置に開口が形成され、タッチモジュールが上記電源モジュールに電気的に接続されて、上記発泡パッドの第３の収納槽内に埋め込まれ、上記タッチモジュールの上方に、上記上ソフトパッドの開口から露出するタッチパネルが設けられることを特徴とする請求項１に記載の多機能無線電力誘導式マウスソフトパッド。
【請求項５】
上記上ソフトパッド表面において、上記電力誘導コイルに対応する位置に、充電領域を標示するための枠線が標示されることを特徴とする請求項１に記載の多機能無線電力誘導式マウスソフトパッド。
【考案の詳細な説明】
【技術分野】
【０００１】
本考案は、マウスパッドに関し、特に、多機能無線電力誘導式マウスソフトパッドに関する。
【背景技術】
【０００２】
一般のコンピュータの周辺設備には、マウスパッドが不可欠の用品であり、マウスは、マウスパッドの表面の格別の設計特性により、マウスパッド上において摺動でき、それから、正確にカーソルを移動させ、ユーザーがマウスを操作することにより、命令を入力できる。
【０００３】
市販のマウスパッドは、マウスを摺動する機能だけがあって、他に付加機能がなく、例えば、マウスパッドの機能を増加して附加価値を向上すれば、ユーザーのマウスパッド購入意欲が大幅に向上する。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、下ソフトパッドや発泡パッド及び上ソフトパッドからなり、可撓性を有し、巻き締めることができ、また、上記発泡パッド上に、電力誘導コイルとUSBスロットとを有する電源モジュールが埋め込まれる多機能無線電力誘導式マウスソフトパッドを提供し、それは、上記電源モジュールによれば、充電誘導コイルを有する無線マウスや携帯電話に対して電力を供給できるだけでなく、必要に応じて、上記発泡パッドに、電源を必要とする周辺設備を実装でき、例えば、スクリーンやタッチパネル、手書きボード、電子ペーパー或いはLED等で、多機能効果が実現されるマウスソフトパッドである。
【課題を解決するための手段】
【０００６】
請求項１の考案は、マウスソフトパッドの底部の基材となる下ソフトパッドと、上記下ソフトパッドの上に設けられ、第１の収納槽が設けられる発泡パッドと、上記発泡パッドの第１の収納槽内に埋め込まれ、体積が、ほぼ、上記第１の収納槽と同じ、電力誘導コイルとUSBスロットとがあり、上記USBスロットと上記電力誘導コイルとが電気的に接続され、上記USBスロットが発泡パッドの外周側に位置する電源モジュールと、上記発泡パッドの上に設けられ、マウスソフトパッド上部の上面材となる上ソフトパッドと、が含有される、ことを特徴とする多機能無線電力誘導式マウスソフトパッドである。
【０００７】
請求項２の考案は、上記発泡パッドに、更に、第２の収納槽が形成される上記上ソフトパッドにおいて、上記第２の収納槽に対応する位置に開口が形成され、表示モジュールが上記電源モジュールに電気的に接続されて、上記発泡パッドの第２の収納槽内に埋め込まれ、上記表示モジュールの上方に、上記上ソフトパッドの開口から露出する表示スクリーンが設けられることを特徴とする請求項１に記載の多機能無線電力誘導式マウスソフトパッドである。
【０００８】
請求項３の考案は、上記表示モジュールにケーシングがあり、上記ケーシングに上記発泡パッドの第２の収納槽内に埋め込まれる基部がある上記表示モジュールにおいて、上記基部の上方に突出部が形成され、上記突出部が上記発泡パッドの第２の収納槽外へ突出し、上記突出部の一側に斜めにウィンドウが設けられ、上記表示スクリーンが上記ウィンドウの上に位置することを特徴とする請求項２に記載の多機能無線電力誘導式マウスソフトパッドである。
【０００９】
請求項４の考案は、上記発泡パッドに、更に、第３の収納槽が形成される上記上ソフトパッドにおいて、上記第３の収納槽に対応する位置に開口が形成され、タッチモジュールが上記電源モジュールに電気的に接続されて、上記発泡パッドの第３の収納槽内に埋め込まれ、上記タッチモジュールの上方に、上記上ソフトパッドの開口から露出するタッチパネルが設けられることを特徴とする請求項１に記載の多機能無線電力誘導式マウスソフトパッドである。
【００１０】
請求項５の考案は、上記上ソフトパッド表面において、上記電力誘導コイルに対応する位置に、充電領域を標示するための枠線が標示されることを特徴とする請求項１に記載の多機能無線電力誘導式マウスソフトパッドである。
【００１１】
以下、図面を参照しながら、本考案の特徴や技術内容について、詳しく説明するが、それらの図面等は、参考や説明のためであり、本考案は、それによって制限されることが無い。
【図面の簡単な説明】
【００１２】
【図１】本考案の第１のより良い実施例の立体図である。
【図２】本考案の第１のより良い実施例の分解図である。
【図３】本考案の第１のより良い実施例の断面図である。
【図４】本考案の第１のより良い実施例の使用概念図である。
【図５】本考案の第１のより良い実施例の他の使用概念図である。
【図６】本考案の第２のより良い実施例の分解図である。
【図７】本考案の第２のより良い実施例の組立て図である。
【図８】本考案の第３のより良い実施例の分解図である。
【図９】本考案の第３のより良い実施例の組立て図である。
【図１０】本考案の第４のより良い実施例の分解図である。
【図１１】本考案の第４のより良い実施例の組立て図である。
【考案を実施するための最良の形態】
【００１３】
本考案は、図１乃至図３に示されるようである。
【００１４】
下ソフトパッド１０は、本考案の底部基材であり、上記下ソフトパッド１０は可撓性を有し、底部に滑り止めの効果が得られる。
【００１５】
発泡パッド２０は、上記下ソフトパッド１０の上に設けられ、下ソフトパッド１０と同じな面積を有し、上記発泡パッド２０に第１の収納槽２１が形成され、上記第１の収納槽２１は発泡パッド２０の先端の一隅に位置する。
【００１６】
電源モジュール３０は、上記発泡パッド２０の第１の収納槽２１内に埋められ、その体積が第１の収納槽２１とほぼ同じで、電力誘導コイル３１とUSBスロット３２からなり、上記USBスロット３２と電力誘導コイル３１とが電気的に接続され、上記USBスロット３２の開口が、発泡パッド２０の外周側に位置し、外部の電力が接続されることや信号を伝送することができる。
【００１７】
上ソフトパッド４０は、上記発泡パッド２０の上に設けられ、下ソフトパッド１０と同じな面積を有し、マウスソフトパッドの上部にある上面材として利用され、上記上ソフトパッド４０の表面において、電力誘導コイル３１に対応する位置に、充電領域の標示として、枠線４１が標示される。
【００１８】
図３と図４のように、本考案のUSBスロット３２に外部の電力が接続され、電源モジュール３０から電力が生成でき、また、本考案によれば、充電誘導コイルを有する無線マウス２００に対して充電することができ、充電が必要とする時、無線マウス２００を上ソフトパッド４０の枠線４１内にセットすれば、無線マウス２００が電源モジュール３０の電力誘導コイル３１により充電され、ユーザーにとって、より便利的になる。
【００１９】
図３と図５のように、本考案は、電力誘導コイル３１を有する電源モジュール３０があるため、充電誘導コイルを有する携帯電話３００に対して、充電でき、使用価値が向上される。
【００２０】
図６と図７は、本考案の第２のより良い実施例であり、上記発泡パッド２０は、更に、第２の収納槽２２が設けられ、上記第２の収納槽２２が発泡パッド２０の先端の他のもう一隅に位置し、上記上ソフトパッド４０には、第２の収納槽２２に対応する位置に透明窓４４が設けられる。
【００２１】
表示モジュール５０は、上記発泡パッド２０の第２の収納槽２２内に埋められて、上記電源モジュール３０に電気的に接続され、上記表示モジュール５０は表示スクリーン５２を有し、本考案によれば、表示モジュール５０の表示スクリーン５２により、充電状態が表示される。
【００２２】
上記発泡パッド２０は、更に、第３の収納槽２３が設けられ、上記第３の収納槽２３が発泡パッド２０の中央に位置し、上記上ソフトパッド４０には、第３の収納槽２３に対応する位置に開口４３が形成される。
【００２３】
タッチモジュール６０は、上記発泡パッド２０の第３の収納槽２３内に埋め込まれ、上記電源モジュール３０に電気的に接続され、上記タッチモジュール６０の上方に上記上ソフトパッド４０の開口４３から露出したタッチパネル６１があり、これにより、本考案は、マウスパッドとして利用できるだけでなく、タッチ板として利用でき、また、上記電源モジュール３０の給電により作動でき、多機能の目的が実現される。
【００２４】
図８と図９のように、上記発泡パッド２０は、更に、第２の収納槽２２が形成され、上記第２の収納槽２２は発泡パッド２０の先端のもう一隅に位置し、上記上ソフトパッド４０は、第２の収納槽２２に対応する位置に開口４２が形成される。
【００２５】
表示モジュール５０は、上記発泡パッド２０の第２の収納槽２２内に埋め込められ、上記電源モジュール３０に電気的に接続され、上記表示モジュール５０はケーシング５１を有し、上記ケーシング５１は、発泡パッド２０の第２の収納槽２２内に埋め込まれるための基部５１１があり、また、上記ケーシング５１には、基部５１１の上方に突出部５１２が形成され、上記突出部５１２が、上記発泡パッド２０の第２の収納槽２２から突出し、上記突出部５１２の一側に、斜めにウィンドウ５１３が形成され、上記表示モジュール５０に表示スクリーン５２があり、上記表示スクリーン５２が、上記ウィンドウ５１３の上に位置し、本考案によれば、表示モジュール５０の表示スクリーン５２により、充電状態が表示される。
【００２６】
上記発泡パッド２０は、更に、第３の収納槽２３が形成され、上記第３の収納槽２３が発泡パッド２０の中央に位置し、上記上ソフトパッド４０には、第３の収納槽２３に対応する位置に開口４３が形成される。
【００２７】
タッチモジュール６０は、上記発泡パッド２０の第３の収納槽２３内に埋め込まれ、上記電源モジュール３０に電気的に接続され、また、上記タッチモジュール６０の上方にタッチパネル６１があり、タッチパネル６１が上記上ソフトパッド４０の開口４３から露出し、本考案によれば、マウスパッドとして利用されるだけでなく、タッチ板として利用されることができ、また、上記電源モジュール３０により給電されて作動でき、多機能の効果が実現される。
【００２８】
図１０と図１１のように、上記発泡パッド２０は、第３の収納槽２３内にLED板７０が設置され、即ち、上記LED板７０は複数の異なる色の発光カラーボックス７１からなり、発光色の異なることにより、マウスの位置を認識することができる。
【００２９】
また、本考案に係るマウスソフトパッドは、上記タッチ板やLED板が結合される他に、手書きボードや電子ペーパー或いは電子掲示板等が結合されることもでき、ユーザーは、必要に応じて、交換することができる。
【００３０】
本考案によれば、次の特長や効果が得られる。
１、本考案の上、下ソフトパッド１０、４０や発泡パッド２０及び電力誘導コイル３１は、ともに、可撓性を有する材質からなるため、本考案は、巻いて締めることができ、使用便利性が向上される。
２、本考案は、電源モジュール３０を有し、上記電源モジュール３０は充電できる電力誘導コイル３１であるため、誘導コイルを有するマウス２００や携帯電話３００に対して充電でき、使用価値が向上される。
３、本考案のマウスソフトパッドは電源モジュール３０を有し、上記電源モジュール３０にUSBスロット３２を有するため、外部の電力を接続することや信号を伝送することができ、そのため、本考案によれば、ユーザーのニーズに応じて、電力や信号伝送のためのタッチ板やLED板、手書きボード、電子ペーパー或いは電子掲示板等の周辺設備を接続でき、別に購入するための購入コストや実装手順を節約することができる。
４、本考案のマウスソフトパッドは、中間層が発泡パッド２０から構成されるため、電源モジュール３０や結合する各種類の周辺設備を、ともに、発泡パッド２０内に埋め込むことができ、即ち、発泡パッド２０を切り分けて、適当な大きさの収納槽を形成すれば、上記電源モジュール３０や結合する各種類の周辺設備を埋め込むことができ、そのため、マウスソフトパッドの表面が、依然として、平坦になり、生産製造や使用に、スペースを取らず、便利的になる。
【００３１】
そのため、本考案は、より進歩的かつより実用的で、法に従って実用新案登録請求を出願する。
【００３２】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００３３】
１０    下ソフトパッド            
２０    発泡パッド
２００  無線マウス
２１    第１の収納槽
２２    第２の収納槽
２３    第３の収納槽  
３０    電源モジュール
３００  携帯電話
３１    電力誘導コイル            
３２    USBスロット
４０    上ソフトパッド
４１    枠線
４２    開口
４３    開口
４４    透明窓
５０    表示モジュール
５１    ケーシング
５１１  基部
５１２  突出部
５１３  ウィンドウ
５２    表示スクリーン
６０    タッチモジュール
６１    タッチパネル
７０    LED板
７１    発光カラーボックス
【図１】
0003187284.tif 000003
【図２】
0003187284.tif 000004
【図３】
0003187284.tif 000005
【図４】
0003187284.tif 000006
【図５】
0003187284.tif 000007
【図６】
0003187284.tif 000008
【図７】
0003187284.tif 000009
【図８】
0003187284.tif 000010
【図９】
0003187284.tif 000011
【図１０】
0003187284.tif 000012
【図１１】
0003187284.tif 000013